(57)【要約】【課題】過酷な環境下でも作動不良を生じないようにして、品質向上と用途拡大を図る。【解決手段】ハウジング２と突当部３２及びカム溝５を有し、ハウジング２内に配置されてばね部材４５に抗し移動される摺動体３０と、爪３９及びピン３８ｃを有し、摺動体３０に枢支されて爪３９が該摺動体内から突出してストライカーを係止する係止位置と該摺動体内にほぼ退避した解除位置とに切り換えられる係合爪３７と、ピン部材６とを備え、摺動体３０がストライカー６２を介し押圧されて移動されると、カム溝５及びピン部材６を介し移動後の位置に保たれ、かつ係合爪３７が係止解除位置から係止位置に切り換えられるラッチ装置において、ハウジング２がピン３８ｃに当接して係合爪３７を係止位置から係止解除位置に切り換えるリブ２８と共に、摺動体３０の移動によりピン３８ｃと当接して係合爪３７を係止解除位置から係止位置に切り換えるテーパー面４７を有している。【選択図】        図１
2006022543.tif 000002
【特許請求の範囲】
【請求項１】
ストライカーを一端開口より挿入可能なハウジングと、前記ストライカーと当接する突当部及びカム溝を有し、前記ハウジング内に配置されてばね部材の付勢力に抗して移動される摺動体と、先端側の爪及び基端側のピンを有し、前記摺動体に回転可能に枢支されて前記爪が該摺動体内から突出して前記ストライカーを係止する係止位置と該摺動体内にほぼ退避した係止解除位置とに切り換えられる係合爪と、前記カム溝に沿ってトレースするピン部材とを備え、前記摺動体が前記ストライカーを介し押圧されて前記ばね部材の付勢力に抗し移動されると、前記カム溝及びピン部材を介しその移動後の位置に保たれ、かつ前記係合爪が係止解除位置から係止位置に切り換えられるプッシュ・プッシュ係止機構からなるラッチ装置において、
前記ハウジングが、前記ピンに当接して前記係合爪を係止位置から係止解除位置に切り換えるリブと共に、前記摺動体の移動により前記ピンと当接して前記係合爪を係止解除位置から係止位置に切り換えるテーパー面を有していることを特徴とするラッチ装置。
【請求項２】
ストライカーを一端開口より挿入可能なハウジングと、前記ストライカーと当接する突当部及びカム溝を有し、前記ハウジング内に配置されてばね部材の付勢力に抗して移動される摺動体と、先端側の爪及び基端側のピンを有し、前記摺動体に回転可能に枢支されて前記爪が該摺動体内から突出して前記ストライカーを係止する係止位置と該摺動体内にほぼ退避した係止解除位置とに切り換えられる係合爪と、前記カム溝に沿ってトレースするピン部材とを備え、前記摺動体が前記ストライカーを介し押圧されて前記ばね部材の付勢力に抗し移動されると、前記カム溝及びピン部材を介しその移動後の位置に保たれ、かつ前記係合爪が係止解除位置から係止位置に切り換えられるプッシュ・プッシュ係止機構からなるラッチ装置において、
前記ハウジングが、前記ピンに当接して前記係合爪を係止位置から係止解除位置に切り換えるリブと共に、該リブの延長部と対向して突出されて前記摺動体の移動により前記ピンと当接して前記係合爪を係止解除位置から係止位置に切り換える凸状カムを有していることを特徴とするラッチ装置。
【請求項３】
ストライカーを一端開口より挿入可能なハウジングと、前記ストライカーと当接する突当部及びカム溝を有し、前記ハウジング内に配置されてばね部材の付勢力に抗して移動される摺動体と、先端側の爪及び基端側のピンを有し、前記摺動体に回転可能に枢支されて前記爪が該摺動体内から突出して前記ストライカーを係止する係止位置と該摺動体内にほぼ退避した係止解除位置とに切り換えられる係合爪と、前記カム溝に沿ってトレースするピン部材とを備え、前記摺動体が前記ストライカーを介し押圧されて前記ばね部材の付勢力に抗し移動されると、前記カム溝及びピン部材を介しその移動後の位置に保たれ、かつ前記係合爪が係止解除位置から係止位置に切り換えられるプッシュ・プッシュ係止機構からなるラッチ装置において、
前記ハウジングが、前記ピンに当接して前記係合爪を係止位置から係止解除位置に切り換えるリブと共に、前記ピンと嵌合して前記摺動体の移動により前記ピンを案内して前記係合爪を係止解除位置から係止位置に切り換えるガイド溝を有していることを特徴とするラッチ装置。
【請求項４】
請求項１から３の何れかに記載のラッチ装置において、前記係合爪が前記ピンを両側の外面に形成していると共に、前記ハウジングが前記両側のピンに対応して請求項１の前記テーパー面、請求項２の前記凸状カム、請求項３の前記ガイド溝をそれぞれ対に形成していることを特徴とするラッチ装置。
【発明の詳細な説明】
【技術分野】
【０００１】
本発明は、第１部材（例えば、箱状基体）に第２部材（例えば、蓋等の可動体）を着脱可能に係止するようなときに用いられるラッチ装置のうち、特に最初の押し操作により被係脱部材であるストライカーを係止し、次の押し操作によりストライカーを係止解除するプッシュ・プッシュ係止機構（これはプッシュロック・プッシュオープン機構と称されることもある、以下、同じ）からなるラッチ装置に関するものである。
【背景技術】
【０００２】
図８は特許文献１に開示されているラッチ装置を示している。同図のラッチ装置は、一端側を開口したハウジング２と、ストライカー２と当接する突当部３２及びカム溝５を有し、ハウジング２内に配置されてばね部材４５の付勢力に抗して移動される摺動体３０と、先端側の爪３９及び基端側のピン３８ｃを有し、摺動体３０に回転可能に枢支されている係合爪３７と、カム溝５に沿ってトレースするピン部材６とを備えている。ここで、係合爪３７は、摺動体３０の対応部に対し上下中間より下側に設けられた軸部３７ａを嵌合した状態で枢支されていて、摺動体３０の位置移動により、同（ａ）のごとく摺動体３０内にほぼ退避した係止解除位置と、同（ｂ）のごとく爪３９を摺動体３０内から突出してストライカー６２を押さえる係止位置とに切り換えられる。係止解除位置では、摺動体３０がばね部材４５の付勢力でハウジング２の入口側に移動されると共に、係合爪３７がハウジング２内に設けられたリブ２８にピン３８ｃを乗り上げることでその状態を保つ。係止位置では、摺動体３０がストライカー６２の押し力によりばね部材４５の付勢力に抗して奥側に移動され、該移動後の位置にカム溝５及びピン部材６の係合を介し維持されると共に、係合爪３７がピン３８ｃをリブ２８の張出部から低くなった部分に移動し、かつ傾動して爪３９を摺動体３０内から突出する。換言すると、以上のラッチ装置は、係合爪３７が摺動体３０に対するストライカー６２の押し力により係止解除位置から係止位置に切り換えられ、摺動体３０に対するストライカー６２の次の押し力により係止解除する、いわゆるプッシュ・プッシュ係止機構からなる。このような構造は特許文献２のラッチ装置でも同様である。
【０００３】
【特許文献１】特開２００４−１３７７２５号公報
【特許文献２】特開２００１−２６２９１５号公報
【発明の開示】
【発明が解決しようとする課題】
【０００４】
上記したようなラッチ装置は、最初の押し操作により係止し、次の押し操作により係止解除するため使い勝手に優れ、色々な装置や設備などに利用されている。そして、用途によっては、例えば、超低温と言うような過酷な環境下での使用において次のような作動不良を生じる虞があることが分かった。すなわち、その作動不良は、摺動体３０が図８（ａ）の初期位置から（ｂ）の押し込め方向へ移動されても、係合爪３７が設計通りに回転して係止状態に切り換えられず、摺動体３０内に収まっている係止解除状態に維持されるという現象である。この現象は、例えば、係合爪３７の枢支部（軸部３７ａと軸穴）が超低温におかれると摺動抵抗を増大し、回転し難くなることが発生要因の一つである。そこで、本発明の目的は、以上のような不具合を解消し、過酷な環境下での使用においても作動不良を生じないようにして、品質向上と用途拡大を図ることにある。
【課題を解決するための手段】
【０００５】
上記した目的を達成するため請求項１〜３の各発明は、ストライカーを一端開口より挿入可能なハウジングと、前記ストライカーと当接する突当部及びカム溝を有し、前記ハウジング内に配置されてばね部材の付勢力に抗して移動される摺動体と、先端側の爪及び基端側のピンを有し、前記摺動体に回転可能に枢支されて前記爪が該摺動体内から突出して前記ストライカーを係止する係止位置と該摺動体内にほぼ退避した係止解除位置とに切り換えられる係合爪と、前記カム溝に沿ってトレースするピン部材とを備え、前記摺動体が前記ストライカーを介し押圧されて前記ばね部材の付勢力に抗し移動されると、前記カム溝及びピン部材を介しその移動後の位置に保たれ、かつ前記係合爪が係止解除位置から係止位置に切り換えられるプッシュ・プッシュ係止機構からなるラッチ装置を対象とし、次のような構成を工夫したものである。
・請求項１の発明では、前記ハウジングが、前記ピンに当接して前記係合爪を係止位置から係止解除位置に切り換えるリブと共に、前記摺動体の移動により前記ピンと当接して前記係合爪を係止解除位置から係止位置に切り換えるテーパー面を有している構成である。
・請求項２の発明では、前記ハウジングが、前記ピンに当接して前記係合爪を係止位置から係止解除位置に切り換えるリブと共に、該リブの延長部と対向して突出されて前記摺動体の移動により前記ピンと当接して前記係合爪を係止解除位置から係止位置に切り換える凸状カムを有している構成である。
・請求項３の発明では、前記ハウジングが、前記ピンに当接して前記係合爪を係止位置から係止解除位置に切り換えるリブと共に、前記ピンと嵌合して前記摺動体の移動により前記ピンを案内して前記係合爪を係止解除位置から係止位置に切り換えるガイド溝を有している構成である。
【０００６】
以上の各発明において、請求項１では係合爪側ピンと当接して係合爪を係止解除位置から係止位置に切換可能にするテーパー面により、請求項２では係合爪側ピンと当接して係合爪を係止解除位置から係止位置に切換可能にする凸状カムにより、請求項３では係合爪側ピンと嵌合して該ピンの動きを案内して係合爪を係止解除位置から係止位置に切換可能にするガイド溝により、課題に説明したような過酷な環境下において発生していた作動不良を機械的に確実に解消できるようにする。
【発明の効果】
【０００７】
・請求項１の発明は、係合爪側のピンに対応してハウジング側にテーパー面を付設するだけで、課題に挙げた過酷な環境下での作動不良を確実に解消でき、それにより品質向上及び用途拡大を達成できる。
・請求項２の発明は、係合爪側のピンに対応してハウジング側に凸状カムを付設するだけで、請求項１と同様に作動不良を確実に解消でき、それにより品質向上及び用途拡大を達成できる。
・請求項３の発明は、係合爪側のピンに対応してハウジング側にガイド溝を付設するだけで、請求項１と同様に作動不良を確実に解消でき、それにより品質向上及び用途拡大を達成できる。
・請求項４の発明は、前記係合爪がピンを両側の外面に形成していると共に、ハウジングが前記両ピンに対応して請求項１のテーパー面、請求項２の凸状カム、請求項３のガイド溝をそれぞれ対に形成していることから、例えば、装置が大型になっても安定した作動切換を維持できるようにする。
【発明を実施するための最良の形態】
【０００８】
図１〜図５は第１実施例のラッチ装置を示し、図６は第２実施例のラッチ装置を示し、図７は第３実施例のラッチ装置を示している。各実施例のラッチ装置は、ハウジングに設けられるテーパー面、凸状カム、ガイド溝を除いて共通している。このため、以下の説明では、第１実施例のラッチ装置及び組立とその作動を詳述した後、第２実施例の変更点と、第３実施例の変更点について説明する。
【０００９】
（第１実施例）図１はラッチ装置を係合爪の係止位置で示し、同（ａ）は上面図、同（ｂ）は（ａ）のＡ−Ａ線に沿って断面した図、同（ｃ）は（ａ）のＢ方向から見た正面図、同（ｄ）は下面図である。図２はラッチ装置の模式作動図であり、同（ａ）は係合爪の係止解除位置で、同（ｂ）は係合爪の係止位置で示している。図３は図１（ｄ）のＣ−Ｃ線に沿って断面したハウジング側のテーパー面と係合爪との関係を示す模式作動図である。図４（ａ）はラッチ装置をＧセンサの作動時の状態で示し、図４（ｂ）はストライカーを係止解除する際の切換作動を示す模式作動図である。図５はラッチ装置の部材同士の関係を示す概略分解図である。なお、各図において、図８のラッチ装置と同じか類似する部材及び部位に同一符号を付している。
【００１０】
図１〜図５に示されるラッチ装置１は、ストライカー６２を一端開口より挿入可能なハウジング２と、摺動体３０に係合爪３７を枢支したラッチ部材３と、一端側を支点として上下動する応動体４と、ラッチ部材３をハウジング２の一端開口側へ付勢するばね部材４５と、該応動体４０を付勢する付勢部材４６とを備えている。そして、ラッチ装置１は、例えば、図２（ａ）のごとく箱状基体６０に取り付けられ、可動体６１に設けられているストライカー６２を係脱する。つまり、ラッチ装置１は、例えば、可動体６１が閉位置方向へ付勢されている態様において、可動体６１が付勢力に抗して閉位置方向へ押されるとストライカー６２を介し係止され、更に同方向へ押して手を離すと係止解除されるプッシュ・プッシュ係止機構からなる。
【００１１】
ここで、応動体４及び付勢部材４６は、ラッチ装置１が振動を受け易いような仕様に採用されて、ラッチ部材３が振動等により誤作動を生じないようにするＧセンサと称されているものであるが、省略されることもある。ラッチ装置１の用途は、上記した文献１，２と同じであり、箱状基体に対し蓋等の可動体６１を着脱可能に係止するようなときに用いられるが、ラッチ装置１を可動体側に取り付けて、箱状基体側に設けられているストライカーを係脱する態様であってもよい。各部材の細部は以下の通りである。
【００１２】
ハウジング２は、図１と図５のごとく内部が前後壁２０，２１と、両側壁２２と、底壁２３とで概略区画されて、一端側つまり上側を開口した筒形となっている。このうち、前壁２０には、左右中間に位置してラッチ部材３（摺動体３０）の摺動範囲を規制するガイド溝２０ａと、内面両側に突設されてラッチ部材３（係合爪３７）を係止解除方向へ回動可能にするリブ２８とが設けられている。リブ２８は、図２のごとく最も高くなった平坦状張出部分と、該張出部分の上下部に接続されて次第に低くなっている傾斜部分とからなる。なお、符号２０ｂは該リブ２８を形成するための肉逃げ用凹部である。後壁２１の内面には、規制用縦リブ２９がピン部材６のＵ形に対応して対に突設されている。縦リブ２９は、底壁２３から上下中間位置付近まで延び、又、下側が一段大きく張り出した状態に設けられて、ピン部材６のＵ形両側部６ｂを両側壁２２の対応内側面との間に位置規制する。両側壁２２には、スリットで区画されて上側を外へ張り出している取付用弾性係止爪２７が設けられている。両側壁２２の内面には、上下方向に延びている凹部２２ｂ及びガイド凹部２２ｃがそれぞれ対向して設けられている。
【００１３】
また、ハウジング２は、筒形上外周が一段張り出していると共に、下側にあって前壁２０側に開口しかつ両側壁２２の一部２５ａを欠如した状態で区画形成された応動体用の小枠部２５を有している。そして、底壁２３は、欠如された一部２５ａが段差となっていると共に、一部２５ａの上側が型抜き用小穴２４ａを介してハウジング内に連通されている。このため、底壁２３は、その２箇所の小穴２４ａと、後両側に貫通された略Ｌ形のピン挿通穴２４ｂと、両ピン挿通穴２４ｂの間に小スリットを介し区画形成された弾性挟持片２３ａ，２３ｂと、各ピン挿通穴２４ｂと前記小スリットの間に形成されているピン受け部などが設けられている。ピン挿通穴２４ｂは、ピン部材６の線径よりも若干大きな穴幅からなり、略Ｕ形のピン部材６をこの穴からハウジング１内へ挿入可能にする。そして、弾性挟持片２３ａ，２３ｂにはピン部材６が揺動可能に枢支される。すなわち、このピン部材６は、Ｕ形中間部６ａと、Ｕ形両側部６ｂと、各両側部６ｂの自由端側を内側に折り曲げた先端６ｃとからなる。
【００１４】
前記した小枠部２５の両側には軸穴２５ｂが設けられている。小枠部２５の内側は、前から奥側がハウジング内に連通しており、底面に設けられて付勢部材４６を位置決めするばね受け用凹所と、枠内の上面を区画しかつハウジング内に支持軸２６ａを突設している壁２６とを有している。また、欠如された一部２５ａの上側は、図３のごとくハウジング２内に穴２４ａを介して連通されていると共に、穴２４ａを区画している側面にテーパー面４７が設けられている。テーパー面４７は、本発明の要部であり、下向きに傾斜した傾斜部として形成されている。すなわち、このテーパー面４７は、ハウジング内の略前後中間より少し前側から前壁２０側に向かって下向き傾斜となっていて、ラッチ部材３を構成している係合爪３７が摺動体３０と共に下移動するとき、係合爪３７のピン３８ｃをテーパー面４７に当接することで軸部３７ａを支点として前側から後側へ機械的に回転ないしは傾倒可能にする。
【００１５】
また、小枠部２５には、応動体４が揺動可能に配置されると共に、該応動体４の下側凹所と前記ばね受け用凹所との間に付勢部材４６が配置される。なお、応動体４は、小ブロック状であり、小枠部２５の内側上面に当接する突き当て部４１と、摺動体３０の対応下面に当接する突出受け部４２と、軸穴２５ｂに嵌合する両側の軸部４３と、下面側のばね受け用凹所などを一体に有している。
【００１６】
ラッチ部材３は摺動体３０及び係合爪３７から構成されている。摺動体３０は、本体３１の背面側に突当部３２を有している。すなわち、本体３１は、上辺３３ａ及び両側辺３３ｂで概略コ形枠状に形成され、又、上辺３３ａと両側辺３３ｂで開口３３を区画形成している。下側には、各側辺３３ｂに貫通され軸穴３３ｄが設けられていると共に、各側辺３３の間に筒部３４が付設されている。筒部３４は、筒内が上記した支持軸２６ａ及びばね部材４５の上側を遊嵌可能な孔であり、又、上記したガイド溝２０ａと嵌合される突起３４ｂを有している。突当部３２は、ストライカー６２が当接する水平壁部と、該水平壁部の左右中間から下へ延びている縦壁部とからなる。前記水平壁部は、両側が本体３１より少し外へ突出しており、ハウジング２のガイド凹部２２ｃに嵌合された状態で摺動される。前記縦壁部は両側にハート形のカム溝５を有している。前記両側のカム溝５は、ほぼ同形であり、前記縦壁部の略中央部に突設している凸状カム島３５と、前記縦壁部の下両側に張り出している翼片部３６ａ等により区画形成されている。溝形状は、下側から右上側へ延びる誘導溝５ａと、誘導溝５ａの上側に位置して左右に別れている係止用誘導溝５ｂ及び解除用誘導溝５ｄと、誘導溝５ｂ，５ｄの間の下側に位置した凹状係止溝５ｃと、誘導溝５ｄから下側へ延びる復帰溝５ｅなどからなり、又、各溝５ａ〜５ｅの溝底面が略平面となっている。
【００１７】
これに対し、係合爪３７は、本体３８及び爪３９からなり、爪３９を開口３３内に位置した状態で、全体が本体３１の上辺３３ａ及び両側辺３３ｂの間に配置される。本体３８は、上部３８ａが爪３９を突設し、下部３８ｂが中間部を欠如している。上部３８ａは、本体３１のコ形枠状内に配置されると、爪３９が開口３３に入る。下部３８ｂは、上部３８ａから延びた２本の片状となっており、各下部３８ｂの外面にあって、上下中間に設けられた軸部３７ａと、下端に設けられた凸部３８ｃとを有している。両下部３８ｂの間には、前記した筒部３４内に入る突片部３７ｂが設けられている。
【００１８】
（組立）以上の各部材は、例えば、次のような要領で組み付けられる。まず、係合爪３７が摺動体３０に取り付けられる。この作業では、図５の状態から軸部３７ａを側辺３３ｂから軸穴３３ｄに押し込める。すると、係合爪３７は、軸部３７ａを支点として、所定範囲だけ回動可能に枢支され、爪３９が図２（ａ）のごとく開口３３内に収まった係止解除状態と、図２（ｂ）のごとく開口３３内から突出されてストライカー６２の凸部又は爪を上から押さえる係止状態とに回動切換可能となる。また、応動体４は、小枠部２５に対し付勢部材４６と共に枠内からハウジング内に配置され、かつ、両側の軸部４３が対応する軸穴２５ｂに嵌合枢支した状態で上下揺動可能に組み付けられる。
【００１９】
次に、以上の係合爪３７付きの摺動体３０、つまりラッチ部材３はハウジング２内に組み付けられる。この作業では、予め、ばね部材４５を支持軸２６ａに軸装し、ピン部材６を底壁２３に揺動可能に保持した状態にしてそれぞれハウジング２内に配置しておくことが好ましい。ピン部材６は、両側の先端６ｃを各ピン挿通穴２４ｂからハウジング内に挿入してから、Ｕ形中間部６ａを弾性挟持片２３ａ，２３ｂ側に強制的に移動することにより、弾性挟持片２３ｂと弾性挟持片２３ａとの間に挟持される。この挟持状態では、ピン部材６がハウジング２内に起立保持され、両側部６ｂの上側が両側内面に揺動可能に圧接され、又、Ｕ形両側部６ｂが規制用縦リブ２９と対応内側面との間に位置規制されている。そして、ラッチ部材３は、ハウジング２内に押し入れられると、突起３４ｂがガイド溝２０ａに落ち込んで嵌合されたときに、ハウジング２に対し抜け止めされて組み付けられる。なお、ラッチ部材３の押し込み過程では、ばね部材４５の上側が筒部３４内に入り、係合爪３７の突片部３７ｂに当接する。又、ピン部材６の両先端６ｃが対応するカム溝５の溝入口（復帰溝５ｅより下側へ延びる溝）に入る。
【００２０】
（作動１）以上のようにして、組立られたラッチ装置１は、上から見たときに、係合爪３７の爪３９が目視不能な状態、つまり係止解除状態となっている。なお、使用態様としては、例えば、可動体６１のストライカー６２に対応して箱状基体６０の適位置に弾性係止爪２７等を介し取り付けられる。取付状態において、ラッチ装置１は、図２（ａ）のごとくラッチ部材３がばね部材４５により付勢移動（この移動は突起３４ｂがガイド溝２０ａの上端面に当たることで規制される）され、又、爪３９が開口３３内に入る方向へ回動（この回動はピン３８ｃがリブ２８の最も高くなった箇所に乗り上げることで行われる）されている。この状態は「ラッチ部材３の係止解除位置」である。そして、ラッチ部材３は、ストライカー６２によりばね部材４５の付勢力に抗して図２（ａ）の矢印方向へ押されると、係合爪３７が軸部３７ａを支点として回動され、ストライカー６２の先端を抜け止めする。又、ラッチ部材３は前記押し力を解放することにより、図２（ｂ）の係止位置で係止される。すなわち、ピン部材６の各先端６ｃは、摺動体３０及び係合爪３７の下移動により上記した誘導溝５ａから係止用誘導溝５ｂに入り、ラッチ部材３に対する押圧力を解放したときに、係止溝５ｃに係止される。この係止により、可動体６１は閉位置に保持（ロック）される。
【００２１】
以上の係止状態から図２（ａ）の解除状態に再び切り換えるときは、図４（ｂ）のごとくラッチ部材３をストライカー６２を介し再び押し、該押し力を解放する（押した手を離す）。すると、各先端６ｃは、上記した係止溝５ｃから解除用誘導溝５ｄ、復帰溝５ｅを経て再び誘導溝５ａから溝入口に戻り、同時に、ラッチ部材３（摺動体３０と係合爪３７）が当初の解除位置に切り換えられる。なお、ラッチ装置１では、図４（ａ）に示したように、使用状態において、上下方向などの振動荷重を受けると、ラッチ部材３があたかも図４（ｂ）のように下向きに押圧された状態となり、誤作動により係止解除される虞がある。この構造では、そのような誤作動を次のような作動により防ぐことができる。すなわち、この構造では、振動荷重を受けると、応動体４が付勢部材４６の付勢力に抗して軸部４３を支点として一方向（この例では反時計回り）へ回動され、該回動に伴って突出受け部４２の位置を変更し、該突出受け部４２に摺動体３０の側辺３３ｂ下端面を受け止めることで、摺動体３０の下移動が阻止される。この結果、ピン６の先端６ｃが係止溝５ｃから解除用誘導溝５ｄに摺動して、係止溝５ｃから不用意に係止解除されないようにする。
【００２２】
（作動２）ところで、従来のラッチ装置では、寒冷地等の過酷な環境下で用いられると、課題に挙げたように係合爪３７が枢支部（軸部３７ａと軸穴３３ｄとの嵌合）を支点として回転し難くなって正常な係止作動、つまり係止解除状態から係止状態に切り換えられなくなる虞があった。しかし、この構造では、ラッチ部材３がストライカー６２により図２（ａ）の矢印方向へ押されると、摺動体３０の下移動に伴って、係合爪３７がテーパー面４７から受ける反力で軸部３７ａを支点として係止位置方向へ機械的に回転される。換言すると、係合爪３７は、図３に模式化したごとく、下移動によってピン３８ｃがハウジング２側の下向きに傾斜したテーパー面４７に当接し、該テーパー面４７のガイド作用（テーパー面４７から受ける反力）により略起立した状態から、軸部３７ａを支点として斜めに回転されて係止位置に強制的に切り換えられる。従って、この構造では、用途が過酷な環境下という仕様であっても誤作動や作動不良を生じないため、用途拡大と信頼性を向上できる。
【００２３】
（第２実施例）図６のラッチ装置は前記テーパー面４７に代わるものとして、凸状カム４８をハウジング２に形成した例であり、同（ａ）はハウジング２と係合爪３７との関係を模式的に示し、同（ｂ）はラッチ部材３が係止解除状態からストライカー６２により矢印方向に押圧された初期段階を示している。すなわち、この構造では、ハウジング２が両側壁２２の各内面に突設した凸形カム４８を有している。このカム４８は、各側壁２２の内面のうち、壁２６の近くで、上記した前壁２０の内面に突設されたリブ２８のうち平坦状張出部分の下部に接続されて次第に低くなっている傾斜部分に対向し、かつ所定間隔を保っている。形状は、厚さを持った略三角形であり、ラッチ部材３の下移動により係合爪３７のピン３８ｃが最初に当接する側を角部の一方側の傾斜面４８ａとし、係合爪３７が係止位置で無理抜き方向に荷重を受けたときにピン３８ｃが逃げる側を角部の他方側の傾斜面４８ｂとした配置である。換言すると、このカム４８は、側壁２２に突設されて前壁２０側に向かって三角形の角部（頂部）を配置していて、ラッチ部材３を構成している係合爪３７が摺動体３０と共にハウジング奥側へ移動するとき、係合爪３７のピン３８ｃを三角形の傾斜面４８ａに当接することで軸部３７ａを支点として機械的に回転ないしは傾倒可能にする。従って、この構造でも、実施例１と同様に、用途が過酷な環境下という仕様であっても誤作動や作動不良を生じないため、用途拡大と信頼性を向上できる。
【００２４】
（第３実施例）図７のラッチ装置は前記テーパー面４７や凸形カム４８に代わるものとして、ガイド溝４９をハウジング２に形成した例であり、同（ａ）はハウジング２と係合爪３７との関係を模式的に示し、同（ｂ）はラッチ部材３が係止解除状態からストライカー６２により矢印方向に押圧された初期段階を示している。すなわち、この構造では、ハウジング２が両側壁２２の内面にガイド溝４９を対向して形成している。ガイド溝４９は、各側壁２２のうち、壁２６の近くで、上記した前壁２０の内面に突設されたリブ２８のうち平坦状張出部分から下側の傾斜部分、更にその延長部と略対向している。溝形状は、例えば、上側が前壁２０から大きく離れ、中間部がそれよりも前壁２０に接近したような設定である。一方、係合爪３７のピン３８ｃは、ガイド溝４９に嵌合されるピン部分３８ｄを延長形成している。そして、このガイド溝４９は、ラッチ部材３を構成している係合爪３７が摺動体３０と共にハウジング奥側へ移動するとき、係合爪３７のピン部分３８ｄを溝に沿って強制的に位置移動することで軸部３７ａを支点として機械的に回転ないしは傾倒可能にする。従って、この構造でも、実施例１や２と同様に、用途が過酷な環境下という仕様であっても誤作動や作動不良を生じないため、用途拡大と信頼性を向上できる。
【００２５】
なお、以上の各実施例は本発明を何ら制約するものではない。本発明のラッチ装置は請求項１〜３で特定される要件を備えておればよく、各細部は必要に応じて種々変更可能なものである。
【図面の簡単な説明】
【００２６】
【図１】発明の第１実施例のラッチ装置を係止状態で示す構成図である。
【図２】上記ラッチ装置を係止解除及び係止状態で示す作動図である。
【図３】上記ラッチ装置の要部作動を模式的に示す説明用参考図である。
【図４】上記ラッチ装置をＧセンサの作動時と係止解除用操作時の状態で示す作動図である。
【図５】上記ラッチ装置の部材同士の関係を示す概略分解構成図である。
【図６】発明の第２実施例のラッチ装置を示す要部構成及び作動図である。
【図７】発明の第３実施例のラッチ装置を示す要部構成及び作動図である。
【図８】従来のラッチ装置例を係止解除位置及び係止位置で示す作動図である。
【符号の説明】
【００２７】
１…ラッチ装置（プッシュ・プッシュ係止機構）
２…ハウジング（２０，２１は前後壁、２２は両側壁、２３は底壁）
３…ラッチ部材
４…応動体
５…カム溝
６…ピン部材
２８…リブ
３０…摺動体（３３は開口、３３ｄは軸穴）
３７…係合爪（３７ａは軸部、３８ｃはピン、３８ｄはピン部分、３９は爪）
４５…ばね部材
４６…付勢部材
４７…テーパー面
４８…凸形カム
４９…ガイド溝
６０…箱状基体
６１…可動体（６２はストライカー）
【図１】
2006022543.tif 000003
【図２】
2006022543.tif 000004
【図３】
2006022543.tif 000005
【図４】
2006022543.tif 000006
【図５】
2006022543.tif 000007
【図６】
2006022543.tif 000008
【図７】
2006022543.tif 000009
【図８】
2006022543.tif 000010